(57)【要約】      （修正有）【課題】安価に製造でき、十分な締縛力を発揮でき、且つ、優れた除電効果を発揮する結束具の提供。【解決手段】外面に係合手段の一方を備えたベルト基材１の一端部に環体３を設け、ベルト基材１の外面の他端部に係合手段に対応する他方の係合手段を設け、ベルト基材１の内面には、一端部から他端部にかけて導電性繊維シート２を重着した結束具Ｓである。【選択図】図１
0003122567.tif 000002
【実用新案登録請求の範囲】
【請求項１】
外面に係合手段の一方を備えたベルト基材の一端部に環体を設け、前記ベルト基材の外面の他端部に前記係合手段に対応する他方の係合手段を設け、ベルト基材の内面には、一端部から他端部にかけて導電性繊維シートを重着したことを特徴とする結束具。
【請求項２】
導電性繊維シートとベルト基材の内面とを接着剤で固着したことを特徴とする請求項１記載の結束具。
【請求項３】
導電性繊維シートは、硫化銅を結合した有機導電性繊維を含有することを特徴とする請求項１又は２記載の結束具。
【請求項４】
導電性シートの幅寸法をベルト基材の幅寸法より小さくし、導電性シートの左右にベルト基材の内面が露呈する構成としたことを特徴とする請求項１、２又は３記載の結束具。
【請求項５】
他端部外面と該他端部外面以外の外面に相互に係脱自在となる係合手段が、雌雄混在面ファスナであることを特徴とする請求項１、２、３又は４記載の結束具。
【考案の詳細な説明】
【技術分野】
【０００１】
本考案は、板状物等を複数積み重ねて結束するための結束具に関する。
【背景技術】
【０００２】
近年、科学技術の進歩によって、多数のトランジスタやコンデンサといった半導体を集積してなる集積回路が多種にわたって開発されている。しかしながら、このＩＣは過電流によって容易に絶縁破壊を生じる。このため静電気などによって、破壊されやすい欠点がある。
従って、製造工程等においても慎重に取り扱う必要があり、導電性材料からなるＩＣトレイとよばれる搬送用収納具等が使用される。
【０００３】
ところで、このＩＣトレイは通常、数段に積み重ねて用いられる。そして数段に積み重ねることで、ＩＣトレイが転倒する可能性が高くなることから、結束具によってＩＣトレイを結束する手段が用いられる。
【０００４】
このような結束手段として機能するものとして、弾性を有する合成樹脂材により成形され、適宜数積層したＩＣトレイを載置するトレイ載置部と、該トレイ載置部の両端から上方に垂直に立ち上げられ、ＩＣトレイの側面を固定する固定部とで凹状に形成されていると共に、固定部上端にＩＣトレイの上面周縁に形成された段部に係合する係止爪が形成され、前記トレイ載置部の中央には該トレイ載置部の長手方向と直交方向に係止片が形成され、該係止片の先端上面には突起が設けられていることを特徴とするＩＣトレイ用クリップ（例えば、特許文献１参照。）が公知である。
【０００５】
一方、ＩＣトレイの結束手段としては機能しないが、一般的な帯状の結束手段としては、例えば、荷物群の側部を巻き締めるためのベルト基材、該ベルト基材の一方の端部の一面には面ファスナの雄型（フックを持つ方）を設け、該ベルト基材の雄型を設けた端部とは反対側の端部にはベルトの長さ調節用バックルを設け、雄型を持つ端部を長さ調節用バックルに通して折り返したとき、雄型と対面する部分に雌型を設けた荷物固定用ベルト（例えば、特許文献２参照。）が公知である。
【０００６】
【特許文献１】特開２０００−２５８３１号公報
【特許文献２】実用新案登録第３１１１５０２号公報
【考案の開示】
【考案が解決しようとする課題】
【０００７】
上記特許文献１に係る発明は、ＩＣトレイ用クリップであり、樹脂成形品であることから、ＩＣトレイの形状に応じた金型が必要となり、設備投資費用の高騰を招来する。
【０００８】
また、上記発明は、特許文献１段落番号（０００５）において、「該クリップ１１は有弾性合成樹脂、例えば、スチレン系樹脂のポリスチレンＡＢＳ樹脂、塩化ビニル系樹脂の塩化ビニル樹脂、オレフィン系樹脂のポリエチレン、ポリプロピレン、ポリカーボネート等を使用し、カーボンブラック、金属粉末等の導電性材を混入したものを成形する。」との記載があるが、十分な導電性を発揮させるためには、相当量の導電製材を混入する必要があり、ベースとなる有弾性合成樹脂の弾力性、耐久性を低下させる原因となる。このため、ベースとなる有弾性合成樹脂の弾力性、耐久性の低下を抑えるには、導電製材の混入量を減少させる必要が生じ、除電効果と弾力性、耐久性の全てを十分に発揮させることができないものであった。
【０００９】
また、特許文献２に係る考案に開示される一般的な構成、即ち、荷物群の側部を巻き締めるためのベルト基材、該ベルト基材の一方の端部の一面には面ファスナの雄型（フックを持つ方）を設け、該ベルト基材の雄型を設けた端部とは反対側の端部にはベルトの長さ調節用バックルを設け、雄型を持つ端部を長さ調節用バックルに通して折り返したとき、雄型と対面する部分に雌型を設けた構成に、カーボンブラック、金属粉末等の導電性材を混入すると、上記特許文献１に係る発明と同様に、ベースとなるベルト基材の可撓性、耐久性が低下する。
【００１０】
本考案は以上の事情に鑑みてなされたものであり、安価に製造でき、十分な締縛力を発揮でき、且つ、優れた除電効果を発揮する結束具の提供を、考案が解決しようとする課題とするものである。
【課題を解決するための手段】
【００１１】
外面に係合手段の一方を備えたベルト基材の一端部に環体を設け、前記ベルト基材の外面の他端部に前記係合手段に対応する他方の係合手段を設け、ベルト基材の内面には、一端部から他端部にかけて導電性繊維シートを重着したことを特徴とする結束具を、課題を解決するための手段とする。
【考案の効果】
【００１２】
本考案によれば、ベルト基材の一端部に環体を備え、前記ベルト基材の他端部外面と、該他端部外面以外の外面に、相互に係脱自在となる係合手段を備え、ベルト基材の内面には、一端部から他端部に至り、導電性繊維製のシートを重着したことから、被結束物の外面に導電性繊維製のシートが直接接触し、ベルト基材の他端を環体に通して折り返して雌雄の係合手段で係着することで、ベルト基材の前記他端の内面が外方へ露呈し、接地若しくは導電性を有する被結束物と接触するため、外部へ静電気を逃すことができる。
【００１３】
そして、ベルト基材と導電性繊維製のシートを独立して設けたことによって、ベルト基材自体に導電性材を混入させる必要がないことから、ベルト基材の可撓性、耐久性を損なうことが無く、十分な除電性能を発揮することができる。
【００１４】
請求項２に係る考案によれば、前記導電性繊維製のシートとベルト基材の内面とを、導電性を有する接着剤で固着した構成とすることで、製造工程における固着を容易とすることができ、製造作業時間を大幅に低減でき、製造コストの削減を図ることができる。
【００１５】
請求項３に係る考案によれば、導電性繊維シートは、硫化銅を結合した有機導電性繊維を含有するものとしたことから、他物との接触による放電のみならず、前記有機導電性繊維によるコロナ放電を利用することができ、静電気の除去効率を飛躍的に高めることができる。
【００１６】
請求項４に係る考案によれば、導電性シートの幅寸法をベルト基材の幅寸法を小さくし、導電性シートの左右にベルト基材の内面が露呈する構成としたことで、ベルト基材は結束時における強度を確保する一方で、導電性シートは放電効果が得られる範囲で使用によって磨耗を生じやすい左右縁部１３は機能低下を避け、且つ、製造コストを低廉とすることができる。
【００１７】
請求項５に係る考案によれば、上記考案の効果に加えて、他端部の折り返し長さの制限がなくなり、被結束物の嵩高さに対する許容範囲を大きくすることができる。
【考案を実施するための最良の形態】
【００１８】
本考案は、ベルト基材の一端部に環体を備え、前記ベルト基材の他端部外面と、該他端部外面以外の外面に、相互に係脱自在となる係合手段を備え、ベルト基材の内面には、一端部から他端部に至り、導電性繊維製のシートを重着し、導電性繊維は硫化銅を結合した有機導電性繊維としてコロナ放電と、直接接触による除電とを発揮させることで、速やかに結束具自体に生ずる静電気を除去し、併せて被結束物の静電気を除去することができる優れた結束具を実現した。
【実施例】
【００１９】
図１は本考案の実施例１に係る結束具Ｓの一部省略した正面図、背面図及びＡ−Ａ断面図、図２は同実施例１に係る結束具Ｓの結束状態における両端部の係着状態を示す一部拡大断面図、図３は同実施例１に係る結束具ＳでＩＣトレイを結束した状態を示す斜視図、図４は同実施例２に係る結束具Ｓの一部省略した正面図、背面図及びＢ−Ｂ断面図、図５は同実施例２に係る結束具ＳでＩＣトレイを結束した状態を示す斜視図である。
【００２０】
（実施例１）
本考案の実施例１に係る結束具Ｓは、図１乃至図３に示すように、ベルト基材１と、該ベルト基材１の内面１ｃに接着される導電性シート２と、前記ベルト基材１の一端部１ａに取付けられる金属製の環体３とからなる。
【００２１】
前記ベルト基材１は、外面側全体にループ状の雌係合子１００を植設し、他端部１ｂの外面１ｄにのみ雄面ファスナ１１０を接着してなる。
【００２２】
前記導電性シート２は、導電性繊維からなる不織布をテープ状に形成したものである。前記導電性繊維は、アクリル、ナイロン繊維の表面に硫化銅の極薄皮膜を形成した有機導電性繊維としている。
【００２３】
導電性シート２は、前記ベルト基材１の裏面側に対して長手に亘って、導電性を有する接着剤４を用いて接着している。
【００２４】
また、前記導電性シート２の幅寸法Ｗ２は、ベルト基材１の幅寸法Ｗ１より小さくしている。ベルト基材１の内面１ｃの幅方向中央位置に導電性シート２が配置し、その左右縁部１３にベルト基材１の内面１ｃが露呈する構成としている。
【００２５】
本実施例１における有機導電性繊維は、硫化銅を結合させたことによって、コロナ放電効果を発揮することができる。即ち、帯電した物の静電気が近づくことで、硫化銅の極薄皮膜が逆の電荷を発生する。これによって電荷を中和して除電効果を発揮する。そして、導電性の接着剤４を使用することで、ベルト基材１に溜まった静電気を、有機導電性繊維の前記コロナ放電効果で除電することができる。
【００２６】
尚、上記有機導電性繊維として、本出願人である日本蚕毛染色株式会社が独自に開発したサンダーロン（登録商標）等を使用することができる。
【００２７】
また、本実施例１に係る結束具Ｓの折り返した他端部１ｂに露呈する導電性シート２が、結束時に直接ＩＣトレイ６や地面と接触することによって、除電効果を得ることができる。
【００２８】
更に、前記したように、導電性シート２の幅寸法は、ベルト基材１の幅寸法より小さくすることでベルト基材１は結束時における強度を十分に有する幅を確保している。そして、一方で、導電性シート２は放電効果が得られる範囲とし、製造コストの高騰を防止している。
【００２９】
そして、ベルト基材１の内面１ｃの幅方向中央位置に導電性シート２が配置し、その左右縁部１３にベルト基材１の内面１ｃが露呈する構成とすることによって、また、使用によって磨耗を生じやすいベルト基材１の左右縁部１３は機能低下を避けることができる。
【００３０】
本実施例１に係る結束具Ｓは、図２及び図３に示すように、縦方向に積み重ねたＩＣトレイ６を縦方向に取り回してベルト基材１の他端部１ｂを環体３に通し、該他端部１ｂを折り返して、雌係合子１００及び雄係合子１１０を係着する。
（実施例２）
【００３１】
次に本考案の実施例２に係る結束具Ｓを、図４に示す。本実施例２に係る結束具Ｓは、ベルト基材１と、該ベルト基材１の内面１ｃに接着される導電性シート２と、前記ベルト基材１の一端部１ａに取付けられる金属製の環体３とからなる点において、前記図１乃至図３に示した実施例１と共通する。
【００３２】
本実施例２に係る結束具Ｓは、ベルト基材１の外面１ｄに設ける雌雄の係合手段を、雌雄混在面ファスナ１２としている。そして、導電性シート２は、ベルト基材１の内面１ｃ側に、両端部間（即ち、一端部１ａと他端部１ｂとの間）に亘って縫着している。尚、縫着に使用する縫着糸５は、導電性の素材を用いている。具体的には、前記したサンダーロンを使用した縫着糸５としている。
【００３３】
以上の本実施例２に係る結束具Ｓによれば、導電性素材の縫着糸５を備えることによって、図５に示すように、使用時に外方へ縫着糸５が露呈するため、外方へもコロナ放電を利用した放電を行うことができ、更に、除電効果を向上させることができる。
【００３４】
また、雌雄混在面ファスナ１２を用いることによって、他端部１ｂの折り返し長さの制限がなくなり、ＩＣトレイ６等の嵩高さに対する許容範囲を大きくすることができる。
【００３５】
尚、本実施例によれば、他端部１ｂの外面１ｄには雄係合子１１０を有する雄面ファスナ１１、それ以外の外面１ｄには雌係合子１００を設けているが、本考案はこれに限らず、例えば、雄係合子１１０と雌係合子１００とを入れ替えることもできる。
【００３６】
また、本考案における被結束物は、上記したＩＣトレイ６に限定するものではなく、静電気によって容易に破壊される種々の精密機器類やこれを保持する搬送具、収納具等を含む。
【図面の簡単な説明】
【００３７】
【図１】本考案の実施例１に係る結束具の一部省略した正面図、背面図及びＡ−Ａ断面図である。
【図２】本考案の実施例１に係る結束具の結束状態における両端部の係着状態を示す一部拡大断面図である。
【図３】本考案の実施例１に係る結束具でＩＣトレイを結束した状態を示す斜視図である。
【図４】本考案の実施例２に係る結束具の一部省略した正面図、背面図及びＢ−Ｂ断面図である。
【図５】本考案の実施例２に係る結束具でＩＣトレイを結束した状態を示す斜視図である。
【符号の説明】
【００３８】
１        ベルト基材
１ａ      一端部
１ｂ      他端部
１ｃ      内面
１ｄ      外面
１００    雌係合子
１１      雄面ファスナ
１１０    雄係合子
１２      雌雄混在面ファスナ
１３      左右縁部
２        導電性シート
３        環体
４        接着剤
５        縫着糸
６        ＩＣトレイ
Ｗ１      幅寸法
Ｗ２      幅寸法
【図１】
0003122567.tif 000003
【図２】
0003122567.tif 000004
【図３】
0003122567.tif 000005
【図４】
0003122567.tif 000006
【図５】
0003122567.tif 000007